(57)【要約】【課題】デモモードを搭載しない映像・音声機器に対しても、適切なタイミングまたは客の要求に応じてデモ用のコンテンツを提供する。【解決手段】再生コンテンツの映像・音声信号を、接続する映像・音声機器２００に送出するための出力切り替えを行う映像・音声信号送出部１２０と、映像・音声機器２００の外部入力のオン／オフを切り替えるためのリモートコントロール信号を、映像・音声機器２００のリモートコントロール信号受信部へ出力する再生ソース切換信号出力部１３０と、映像・音声信号送出部１２０への再生ソース切り替え命令と、再生ソース切換信号出力部１３０への赤外線出力命令を出力して、映像・音声機器２００に再生コンテンツの映像・音声信号を送出させるための制御を行う制御部１１０と、所望のタイミングで、制御部１１０に、任意の再生コンテンツの映像・音声信号の送出を命令するコンテンツ送出割込スイッチ部１４０と、を備える。【選択図】図１
2007150787.tif 000002
【特許請求の範囲】
【請求項１】
映像・音声機器に対して再生コンテンツの映像・音声信号を送出する映像・音声信号送出手段と、
前記映像・音声信号送出手段により送出された再生コンテンツの映像・音声信号を前記映像・音声機器で再生させるように、前記映像・音声機器の再生ソースを強制的に切り替えるための再生ソース切換信号を前記映像・音声機器のリモートコントロール信号受信部へ出力する再生ソース切換信号出力手段と、
前記映像・音声信号送出手段への再生コンテンツの映像・音声信号送出命令と前記再生ソース切換信号出力手段への再生ソース切替命令とを出力して、前記映像・音声信号送出手段から送出した再生コンテンツの映像・音声を前記映像・音声機器で再生させるための制御を行う制御手段と、
を備えることを特徴とする再生コンテンツ切替システム。
【請求項２】
前記制御手段は、予め決められたスケジュールに従って、前記映像・音声機器への前記再生コンテンツの映像・音声信号の送出と再生ソース切り換えとを同期して行うためのタイマー手段を更に備えることを特徴とする請求項１記載の再生コンテンツ切替システム。
【請求項３】
前記スケジュールは、前記再生コンテンツの映像・音声信号の周期的な送出を実行するためのスケジュールであることを特徴とする請求項２に記載の再生コンテンツ切替システム。
【請求項４】
前記再生コンテンツの映像・音声信号の送出終了後、前記映像・音声機器の再生動作を元の状態に復帰させるための信号を前記再生ソース切換信号出力手段から送出することを特徴とする請求項１〜３のいずれかに記載の再生コンテンツ切替システム。
【請求項５】
所望のタイミングにより、前記再生コンテンツの映像・音声信号の送出を命令する送出割込手段を備えることを特徴とする請求項１〜４のいずれかに記載の再生コンテンツ切替システム。
【請求項６】
前記再生コンテンツの映像・音声データを格納するコンテンツ格納部を備え、該コンテンツ格納部に格納された再生コンテンツの映像・音声データを、前記映像・音声機器で再生可能な映像・音声信号に変換して、前記映像・音声機器に対して送出することを特徴とする請求項１〜５のいずれかに記載の再生コンテンツ切替システム。
【請求項７】
映像・音声データを外部のコンテンツサーバから取得し、取得したコンテンツの映像・音声データを、前記映像・音声機器で再生可能な映像・音声信号に変換して、前記映像・音声機器に対して送出することを特徴とする請求項１〜５のいずれかに記載の再生コンテンツ切替システム。
【請求項８】
複数の映像・音声機器に対して前記再生コンテンツの映像・音声信号を送出し、該複数の映像・音声機器に対して再生する映像・音声の制御を行うことを特徴とする請求項１〜７のいずれかに記載の再生コンテンツ切替システム。
【請求項９】
前記再生コンテンツは、販売促進用のデモンストレーションを行うための再生コンテンツの映像・音声信号であることを特徴とする請求項１〜８のいずれかに記載の再生コンテンツ切替システム。
【発明の詳細な説明】
【技術分野】
【０００１】
本発明は、映像・音声機器に対する再生コンテンツ切替システムに関し、特に、店頭における販売促進用のデモモードを搭載しない映像・音声機器に、デモ用のコンテンツを適切に提供するための切り替えを行う再生コンテンツ切替システムに関する。
【背景技術】
【０００２】
従来の電子・電気機器の中には、デモモードと称して店頭での販売を支援するデモンストレーション用モードを搭載した機器がある。デモモードを有効にすると、例えば、機器の動作部が自動的に開閉したり、操作部のライトが点滅したりする。このデモモードについては、機能を有効にするための操作が煩雑であるという販売者側にとっての問題や、起動するたびに不必要なデモモードが有効になり、それを無効にする操作が煩雑であるという使用者側にとっての問題があった。そこで、双方の問題を解決したシステムも開示されている（例えば、特許文献１参照）。
【特許文献１】特開２００４−３０４４８７号公報（第５頁〜第１４頁、図８）
【発明の開示】
【発明が解決しようとする課題】
【０００３】
しかしながら、上記に開示されたシステムは、機器にデモモードが搭載されていることが前提であり、デモモードの搭載されていない機器には適用できないという不都合があった。従来、テレビなどの映像・音声機器では、多数の機器を一堂に陳列した場所でテレビ放送やビデオ映像を一律に上映するというデモ方法が慣習的に定着していることや、製造コスト上の制約などから、一般的にデモモードを搭載しない機器が多い。
【０００４】
ところで、近年、プラズマテレビや液晶テレビに代表されるように、大型映像・音声機器の普及が急速に進んでいる。普及の背景には、これらの機器の映像の鮮明さや音声の迫力感、高度な情報提供機能など、従来と比較して飛躍的な技術の進歩が消費者に受け入れられたところにある。従って、これらの映像・音声機器の販売においては、高品質の映像や音声を店頭で体感できるような販売促進用のデモンストレーションが重要な役割を果たす。
【０００５】
本発明が解決しようとする課題としては、デモモードを搭載しない映像・音声機器に対しても、適切なタイミングまたは客の要求に応じて販売促進用のデモンストレーションを行うことができるようにすることが一例として挙げられる。
【課題を解決するための手段】
【０００６】
請求項１に記載の発明は、映像・音声機器に対して再生コンテンツの映像・音声信号を送出する映像・音声信号送出手段と、前記映像・音声信号送出手段により送出された再生コンテンツの映像・音声信号を前記映像・音声機器で再生させるように、前記映像・音声機器の再生ソースを強制的に切り替えるための再生ソース切換信号を前記映像・音声機器のリモートコントロール信号受信部へ出力する再生ソース切換信号出力手段と、前記映像・音声信号送出手段への再生コンテンツの映像・音声信号送出命令と前記再生ソース切換信号出力手段への再生ソース切替命令とを出力して、前記映像・音声信号送出手段から送出した再生コンテンツの映像・音声を前記映像・音声機器で再生させるための制御を行う制御手段と、を備えることを特徴とする。
【発明を実施するための最良の形態】
【０００７】
本発明に係る再生コンテンツ切替システムの最良の実施形態は、（１）〜（３）の手段を含んで構成される備えるシステムである。
（１）映像・音声機器に対して再生コンテンツの映像・音声信号を送出する映像・音声信号送出手段。
（２）前記映像・音声信号送出手段により送出された再生コンテンツの映像・音声信号を前記映像・音声機器で再生させるように、前記映像・音声機器の再生ソースを強制的に切り替えるための再生ソース切換信号を前記映像・音声機器のリモートコントロール信号受信部へ出力する再生ソース切換信号出力手段。
（３）前記映像・音声信号送出手段への再生コンテンツの映像・音声信号送出命令と前記再生ソース切換信号出力手段への再生ソース切替命令とを出力して、前記映像・音声信号送出手段から送出した再生コンテンツの映像・音声を前記映像・音声機器で再生させるための制御を行う制御手段。
【０００８】
この構成により、制御手段が映像・音声信号送出手段への再生コンテンツの映像・音声信号送出命令と再生ソース切換信号出力手段への再生ソース切替命令とを所定のタイミングで出力し、再生コンテンツが映像・音声信号送出手段を介して映像・音声機器へ送出されるので、デモモードを搭載しない映像・音声機器に対しても、適切なタイミングで販売促進用のデモンストレーションを行うことができる
【０００９】
以下、本発明に係る再生コンテンツ切替システムの好適な実施の形態における具体例である実施例１〜３を挙げについて、図面を参照して説明する。
【実施例１】
【００１０】
図１は、実施例１における再生コンテンツ切替システムの構成例を示すブロック図である。図１に示すように再生コンテンツ切替システム１００は、主に、制御部１１０、映像・音声信号送出部１２０、再生ソース切換信号出力部１３０、コンテンツ送出割込スイッチ部１４０、コンテンツ格納部１５０で構成される。
【００１１】
映像・音声信号送出部１２０は、販売促進用のデモンストレーションのための再生コンテンツ（以下、デモ用コンテンツと記す）の映像・音声信号を映像・音声機器２００へ送出するための出力切り替えを行う。デモ用コンテンツの映像・音声信号を送出するように切り替えが行われた場合、コンテンツ格納部１５０から取得したコンテンツが、再生コンテンツ切替システム１００に接続する映像・音声機器２００へ映像・音声信号送出部１２０を介して送出される。
【００１２】
再生ソース切換信号出力部１３０は、映像・音声機器２００の再生ソースを切り換えることができる再生ソース切り換え命令を含むリモートコントロール信号を送出する。
【００１３】
映像・音声機器２００は一般的に市販されている機器であり、遠隔からテレビチャンネルや再生ソース（テレビチューナ、またはＶＴＲ，ＤＶＤ再生装置などの外部入力など）を切り替えるための赤外線方式などの無線のリモートコントローラ（図示省略）が付属している。また、映像・音声機器２００はリモートコントローラからのリモートコントロール信号を受信するためのリモートコントロール信号受信部２０１（赤外線受光部など）を備えており、受信した信号に基づいてテレビチャンネルの切り替えや再生ソースの切り替えを行うことができる。なお、映像・音声機器２００は、有線方式等のリモートコントローラを備えた映像・音声機器でもよい。
【００１４】
再生コンテンツ切替システム１００の再生ソース切換信号出力部１３０が出力する再生ソース切り換え命令を含むリモートコントロール信号は、一般的なリモートコントローラから送信されるリモートコントロール信号と同一規格のものである。
【００１５】
したがって、再生コンテンツ切替システム１００の映像・音声信号送出部１２０からの映像・音声信号出力を映像・音声機器２００の外部入力端子に接続しておけば、再生ソース切換信号出力部１３０が出力する再生ソース切り換え命令としては、映像・音声機器２００の再生ソースを外部入力に切り換えるリモートコントロール信号を送信すればよい。
これにより、例えば、テレビチューナからの映像・音声を再生中の映像・音声機器２００に、再生ソース切り換え命令を送信することにより、外部入力端子から入力されるデモ用コンテンツの映像・音声を再生するモードに切り替わる。
【００１６】
制御部１１０は、コンテンツ格納部１５０に格納された映像・音声データを映像・音声機器２００で再生可能な映像・音声信号に変換して映像・音声送出部１２０に送り、映像・音声送出部１２０から映像・音声信号を送出させると共に、再生ソース切換信号出力部１３０に再生ソース切り替え命令を出力して、再生コンテンツ切替システム１００の動作を統括制御する。
【００１７】
即ち、制御部１１０の制御命令により、映像・音声信号送出部１２０を介してデモ用コンテンツの映像・音声信号が映像・音声機器２００へ送出されると同時に、映像・音声機器２００の再生ソースが「外部入力」に切り替わり、映像・音声機器２００はデモ用コンテンツの再生を開始する。これにより、店頭などに置かれた映像・音声機器２００においてデモ用コンテンツを視聴することができる。
【００１８】
制御部１１０は、タイマー部１１１を含むので、予め決められたスケジュールで映像・音声機器２００の再生ソースの「外部入力」への切り替えと再生コンテンツの映像・音声信号の送出を行わせることができる。
【００１９】
スケジュールに基づくコンテンツ送出切り替え動作の詳細については後述する。なお、制御部１１０が行う制御動作は、制御部１１０が制御部内に予め格納された制御プログラムを実行することにより実現される。
【００２０】
コンテンツ送出割込スイッチ部１４０は、手押しスイッチなどで構成され、スイッチが押下されると、再生コンテンツの映像・音声信号の送出命令と再生ソース切り替え命令とを行わせるための割り込み信号が制御部１１０へ送出される。
【００２１】
したがって、スイッチが押下されたタイミングで映像・音声機器２００の再生ソースの「外部入力」への切り替えと、再生コンテンツの映像・音声信号の送出を行わせることができる。このスイッチ押下の割り込みによるコンテンツ送出切り替え動作の詳細についても後述する。
【００２２】
なお、コンテンツ送出割込スイッチ部１４０に複数のスイッチを装備し、それぞれのスイッチで特定の再生コンテンツの映像・音声信号を指定して送出させるような構成としてもよい。
【００２３】
コンテンツ格納部１５０は、映像・音声信号送出部１２０を介して送出される再生コンテンツの映像・音声データを格納している。格納する再生コンテンツとしては、例えば、店頭における販売支援を企図したデモ用コンテンツなどである。
【００２４】
コンテンツ格納部１５０の具体的な構成としては、ＨＤＤ（ハードディスク）などの記憶装置であり、ＰＣ（パーソナルコンピュータ）で再生されるＭＰＥＧ等の動画ファイルとして格納される。あるいは、ＶＴＲやＤＶＤ再生装置等でもよい。
【００２５】
次に、上記構成の再生コンテンツ切替システム１００の動作について詳細に説明する。
はじめに、スケジュールに基づいてデモ用コンテンツの送出切替動作を行う場合について説明する。
【００２６】
図２は、実施例１の再生コンテンツ切替システムに係るスケジュールに基づくデモ用コンテンツ送出切替動作の手順を示すフローチャートである。はじめに、制御部１１０は、タイマー部１１１の時刻と制御部１１０内に設定されたスケジュールとの照合を行う（ステップＳ１０１）。
【００２７】
ここで、スケジュールについて説明する。図３は実施例１の再生コンテンツ切替システムに予め設定されているスケジュールを概念的に示すシーケンスチャートであり、（ａ）はデモ用コンテンツの送出時刻及び終了時刻を指定した例、（ｂ）は所定の再生周期を指定した例を示す。
【００２８】
このスケジュールによれば、コンテンツ送出開始時刻において、映像・音声信号送出部１２０への映像・音声信号送出命令と再生ソース切換信号出力部１３０への再生ソース切換命令の発行が同時に行われ、再生コンテンツ切替システム１００から映像・音声機器２００へのデモ用コンテンツの映像・音声信号の送出を開始する。
【００２９】
一方、コンテンツ送出終了時刻においては、映像・音声機器２００の再生状態を元の状態に復帰させるために、外部入力から元の再生ソース（テレビチューナ入力等）に切り換えるための再生ソース切換命令を含むリモートコントロール信号を再生ソース切換信号出力部１３０から送信する。
【００３０】
なお、店頭などに置かれた映像・音声機器２００でデモ用コンテンツを定期的に再生させたいような場合、コンテンツ送出の開始時刻、終了時刻を複数決定しておけばよい。あるいは、再生周期のみを指定し、映像・音声信号の有無を検知してデモ用コンテンツの再生が終了したとしてもよい。
図３（ａ）に示す例では、４０分の間隔をおいて１０分間のデモ用コンテンツを定期的に送出するように設定されている。また、図３（ｂ）に示す例では、３分間のデモ用コンテンツを１０分間隔の再生周期で再生するように設定されている。
【００３１】
図２のフローチャートに戻り、制御部１１０は、照合結果に基づいてコンテンツ送出のタイミングであるか否かを判断する（ステップＳ１０２）。例えば、図３（ａ）の場合において、タイマー部１１１の時刻が「３０」であるとき、未だ、デモ用コンテンツ送出の時刻ではないのでステップＳ１０１へ戻り、時刻とスケジュールの照合を繰り返す。
【００３２】
一方、例えば図３（ａ）の場合において、タイマー部１１１の時刻が「４０」になったときや、図３（ｂ）の場合において、前回のデモ用コンテンツ送出開始から１０分間経過したとき、制御部１１０は、映像・音声信号送出部１２０に映像・音声信号の送出命令を送信し（ステップＳ１０３）、再生ソース切換信号出力部１３０に対して再生ソースの切替命令を送信する（ステップＳ１０４）。
【００３３】
次に、制御部１１０からの命令を受けて、再生ソース切換信号出力部１３０は、映像・音声機器２００の再生ソースを「外部入力」に切り替えるためのリモートコントロール信号を映像・音声機器２００のリモートコントロール信号受信部２１０へ送信する（ステップＳ１０５）。
【００３４】
これにより、映像・音声機器２００の再生ソースは「外部入力」となる。図１に示すように、映像・音声機器２００の外部入力端子は再生コンテンツ切替システム１００と接続しているので、映像・音声信号送出部１２０を介して出力されるデモ用コンテンツが映像・音声機器２００で再生可能となる。
【００３５】
同時に、コンテンツ格納部１５０から取得したデモ用コンテンツの映像・音声信号が映像・音声信号送出部１２０から映像・音声機器２００へ送出され（ステップＳ１０６）、映像・音声機器２００でデモ用コンテンツの映像・音声が再生される。その際、制御部１１０は、前述と同様の要領でタイマー時刻とスケジュールを照合するか、あるいは、映像・音声信号の有無を検知して（ステップＳ１０７）、デモ用コンテンツの送出終了を判断する（ステップＳ１０８）。
【００３６】
デモ用コンテンツの送出が終了していないと判断された場合（Ｎｏ）、ステップＳ１０６に戻り、デモ用コンテンツの送出が継続される。
【００３７】
一方、例えば、図３（ａ）においてタイマー部１１１の時刻が「５０」になったときや、図３（ｂ）においてデモ用コンテンツの終了を検知したときなど、デモ用コンテンツの送出が終了したと判断された場合（Ｙｅｓ）、制御部１１０は、映像・音声信号送出部１２０に映像・音声信号の送出停止命令を送信し（ステップＳ１０９）、再生ソース切換信号出力部１３０に対して再生ソースの切替命令を送信する（ステップＳ１１０）。
【００３８】
これにより、映像・音声信号送出部１２０は、デモ用コンテンツの映像・音声信号送出を停止する（ステップＳ１１１）。また、再生ソース切換信号出力部１３０は、映像・音声機器２００の再生ソースを「外部入力」から元の状態に切り換えるためのリモートコントロール信号を映像・音声機器２００のリモートコントロール信号受信部へ送信する（ステップＳ１１２）。例えば、デモ用コンテンツの再生を行う前にテレビチューナでテレビ放送を受信するモードであった場合、映像・音声機器２００はテレビモードに復帰する。以上で、スケジュールに基づく一連のデモ用コンテンツ送出切替動作が終了する。
【００３９】
以上のように、再生コンテンツ切替システム１００によれば、デモモードを搭載しない映像・音声機器２００に対しても、適切なタイミングでデモ用コンテンツを提供することができる。
【００４０】
また、制御部１１０がタイマー部１１１を備えるため、予め決められたスケジュールに従ってデモ用コンテンツを提供することができる。
【００４１】
更に、制御部１１０に周期的なスケジュールを設定することで、定期的にデモ用コンテンツを提供することができ、販売促進効果を高めることができる。また、デモ用コンテンツの送出終了後に、映像・音声機器の再生ソースを元の状態に復帰させることができる。
【００４２】
次に、割り込み動作によって任意のタイミングでデモ用コンテンツの送出切替動作を行う場合について説明する。図４は、実施例１の再生コンテンツ切替システムにおけるコンテンツ送出割込スイッチ部押下の割り込みによるデモ用コンテンツ送出切替動作の手順を示すフローチャートである。図５はスケジュールを概念的に示すシーケンスチャートであり、（ａ）は図３（ａ）と同様のデモ用コンテンツの送出時刻及び終了時刻を指定した場合、（ｂ）はコンテンツ送出割込スイッチ部１４０のスイッチ押下した場合である。
【００４３】
はじめに、制御部１１０は、コンテンツ送出割込スイッチ部１４０のスイッチ押下による割り込みの有無を常時監視する（ステップＳ２０１）。図５（ｂ）に示すように、コンテンツ送出割込スイッチ部１４０の押下があった場合（Ｙｅｓ）、制御部１１０は、映像・音声信号送出部１２０に映像・音声信号の送出命令を送信し（ステップＳ２０２）、再生ソース切換信号出力部１３０に対して再生ソースの切替命令を送信する（ステップＳ２０３）。
【００４４】
次に、制御部１１０からの命令を受けて、再生ソース切換信号出力部１３０は、映像・音声機器２００の再生ソースを「外部入力」に切り替えるためのリモートコントロール信号を映像・音声機器２００のリモートコントロール信号受信部２１０へ送信する（ステップＳ２０４）。これにより、映像・音声機器２００の再生ソースは「外部入力」となり、映像・音声信号送出部１２０を介して出力されるデモ用コンテンツが映像・音声機器２００で再生可能となる。
【００４５】
同時に、コンテンツ格納部１５０から取得したデモ用コンテンツの映像・音声信号が映像・音声信号送出部１２０から映像・音声機器２００へ送出され（ステップＳ２０５）、映像・音声機器２００でデモ用コンテンツの映像・音声が再生される。
【００４６】
再生中、制御部１１０は、コンテンツ送出割込スイッチ部１４０のスイッチ押下による割り込みの有無を常時監視しており（ステップＳ２０６）、コンテンツ送出割込スイッチ部１４０の押下が無ければ（Ｎｏ）、タイマー時刻とスケジュールを照合するか、あるいは、映像・音声信号の有無を検知して（ステップＳ２０７）、デモ用コンテンツの終了を判断する（ステップＳ２０８）。
【００４７】
デモ用コンテンツの送出が終了していないと判断された場合（Ｎｏ）、ステップＳ２０５に戻り、デモ用コンテンツの送出が継続される。
【００４８】
一方、デモ用コンテンツの再生中にコンテンツ送出割込スイッチ部１４０の押下が有った場合（ステップＳ２０６のＹｅｓ）、あるいは、デモ用コンテンツが終了したと判断された場合（ステップＳ２０８のＹｅｓ）、制御部１１０は、映像・音声信号送出部１２０に映像・音声信号の送出停止命令を送信し（ステップＳ１０９）、再生ソース切換信号出力部１３０に対して再生ソースの切替命令を送信する（ステップＳ１１０）。
【００４９】
これにより、映像・音声信号送出部１２０は、デモ用コンテンツの映像・音声信号送出を停止する（ステップＳ１１１）。また、再生ソース切換信号出力部１３０は、映像・音声機器２００の再生ソースを「外部入力」から元の状態に切り換えるためのリモートコントロール信号を映像・音声機器２００のリモートコントロール信号受信部へ送信する（ステップＳ１１２）。例えば、デモ用コンテンツの再生を行う前にテレビチューナでテレビ放送を受信するモードであった場合、映像・音声機器２００はテレビモードに復帰する。
以上で、スイッチ押下の割り込みによる一連のデモ用コンテンツ送出切替動作が終了する。
【００５０】
以上のように、再生コンテンツ切替システム１００によれば、コンテンツ送出割込スイッチ部１４０を備えるため、割り込みを行ったタイミングでデモ用のコンテンツを提供することができる。
【実施例２】
【００５１】
図６は、実施例２における再生コンテンツ切替システムの構成例を示すブロック図である。実施例２における再生コンテンツ切替システム１０１では、デモ用コンテンツを外部から取得して映像・音声機器２００に送出することが可能である。再生コンテンツ切替システム１０１は、図１に示す再生コンテンツ切替システム１００と比較して、コンテンツ格納部１５０を保持せず、映像・音声信号送出部１２０は、ネットワーク３００を介してコンテンツサーバ４００に接続している。したがって、映像・音声信号送出部１２０は、コンテンツサーバ４００から取得したデモ用コンテンツを映像・音声機器２００へ送出することができる。
【００５２】
なお、上記構成の再生コンテンツ切替システム１０１のコンテンツ送出切替動作は、実施例１の再生コンテンツ切替システム１００のそれと同じであるため詳細な説明を省略する。
【実施例３】
【００５３】
図７は、実施例３における再生コンテンツ切替システムの構成例を示すブロック図である。実施例３における再生コンテンツ切替システム１０２では、複数の映像・音声機器にデモ用コンテンツを送出することが可能である。再生コンテンツ切替システム１０２は、図６に示す再生コンテンツ切替システム１０１と比較して、映像・音声信号送出部１２１に複数の映像・音声機器を接続している。
【００５４】
コンテンツ送出割込スイッチ部１４０に複数のスイッチを装備し、それぞれのスイッチで特定の映像・音声機器、あるいは、グループ分けした複数の映像・音声機器に対して、デモ用コンテンツのオン／オフを切り換えるようにしてもよい。あるいは、１つのスイッチで全ての映像・音声機器のデモ用コンテンツのオン／オフを切り換えるようにしてもよい。
【００５５】
また、それぞれの映像・音声機器に対し異なるスケジュールでデモ用コンテンツを送出してもよい。なお、この場合のデモ用コンテンツは、同一のコンテンツでもよい。
図８は、再生コンテンツ切替システム１０２に予め設定されているスケジュールを概念的に示すシーケンスチャートである。
【００５６】
コンテンツ送出切替に係るスケジュールが図８に示すように決められている場合、映像・音声信号送出部１２１は、コンテンツ格納部１５０、あるいは、コンテンツサーバ４００から取得したデモ用コンテンツを映像・音声機器２００と映像・音声２１０へ交互に周期的に送出するように出力切り替えを行う。この際に、それぞれの映像・音声機器へ送出するデモ用コンテンツは、同一のコンテンツであっても、異なるコンテンツであってもかまわない。
【００５７】
なお、上記構成の再生コンテンツ切替システム１０２のコンテンツ送出切替動作は、実施例１の再生コンテンツ切替システム１００のそれと同じであるため詳細な説明を省略する。
【００５８】
以上に述べた実施例１〜３の構成は、適宜組み合わせることもできる。
【００５９】
以上、詳述したように、本実施の形態に係る再生コンテンツ切替システム１００は、映像・音声機器２００（２１０）に対してデモ用コンテンツ（再生コンテンツ）の映像・音声信号を送出する映像・音声信号送出部１２０と、映像・音声信号送出部１２０により送出されたデモ用コンテンツ（再生コンテンツ）の映像・音声信号を映像・音声機器２００（２１０）で再生させるように、映像・音声機器２００（２１０）の再生ソースを強制的に切り替えるための再生ソース切換信号を映像・音声機器のリモートコントロール信号受信部２０１（２１１）へ出力する再生ソース切換信号出力部１３０と、映像・音声信号送出部１２０へのデモ用コンテンツ（再生コンテンツ）の映像・音声信号送出命令と再生ソース切換信号出力部１３０への再生ソース切替命令とを出力して、映像・音声信号送出部１２０から送出したデモ用コンテンツ（再生コンテンツ）の映像・音声を映像・音声機器２００（２１０）で再生させるための制御を行う制御部１１０を備える。
【００６０】
これにより、設定されたプログラムに基づいて、制御部１１０が、映像・音声信号送出部１２０への再生ソース切り替え命令と再生ソース切換信号出力部１３０への再生ソース切替命令を所定のタイミングで出力し、デモ用コンテンツ（再生コンテンツ）が映像・音声信号送出部１２０を介して映像・音声機器２００へ送出されるので、デモモードを搭載しない映像・音声機器に対しても、適切なタイミングでデモ用のコンテンツを効果的に再生することができる。
【００６１】
一方、コンテンツ送出割込スイッチ部１４０が押下されると、そのタイミングで制御部１１０が、映像・音声信号送出部１２０への再生ソース切り替え命令と再生ソース切換信号出力部１３０への赤外線出力命令を出力し、デモ用コンテンツ（再生コンテンツ）が映像・音声信号送出部１２０を介して映像・音声機器２００（２１０）へ送出されるので、客の要求に応じてデモ用コンテンツを適宜再生することができる。
【図面の簡単な説明】
【００６２】
【図１】実施例１における再生コンテンツ切替システムの構成例を示すブロック図である。
【図２】実施例１における再生コンテンツ切替システムの、スケジュールに基づくデモ用コンテンツ送出切替動作の手順を示すフローチャートである。
【図３】実施例１における再生コンテンツ切替システムに予め設定されているスケジュールを概念的に示すシーケンスチャートである。
【図４】実施例１における再生コンテンツ切替システムの、コンテンツ送出割込スイッチ部押下の割り込みによるデモ用コンテンツ送出切替動作の手順を示すフローチャートである。
【図５】実施例１における再生コンテンツ切替システムの、スケジュールを概念的に示すシーケンスチャートであり、（ａ）は図３（ａ）と同様のデモ用コンテンツの送出時刻及び終了時刻を指定した場合、（ｂ）はコンテンツ送出割込スイッチ部のスイッチ押下した場合である。
【図６】実施例２における再生コンテンツ切替システムの構成例を示すブロック図である。
【図７】実施例３における再生コンテンツ切替システムの構成例を示すブロック図である。
【図８】実施例３における再生コンテンツ切替システムに予め設定されているスケジュールを概念的に示すシーケンスチャートである。
【符号の説明】
【００６３】
１００、１０１、１０２  再生コンテンツ切替システム
１１０  制御部
１１１  タイマー部
１２０  映像・音声信号送出部
１３０  再生ソース切換信号出力部
１４０  コンテンツ送出割込スイッチ部
２００  映像・音声機器
３００  ネットワーク
４００  コンテンツサーバ
【図１】
2007150787.tif 000003
【図２】
2007150787.tif 000004
【図３】
2007150787.tif 000005
【図４】
2007150787.tif 000006
【図５】
2007150787.tif 000007
【図６】
2007150787.tif 000008
【図７】
2007150787.tif 000009
【図８】
2007150787.tif 000010